(57)【要約】【課題】本発明はかつらの裏面側に貼着して、かつら装着時に頭皮の汗や皮脂を効果的に吸い取り、かつら装着時の蒸れを抑制すると共に頭皮の血行を促進し、頭髪の発毛の促進可能なものとするためのかつら用吸湿・発熱性シートを提供することを目的とする。【解決手段】少なくとも、吸湿発熱繊維で編成して柔軟なシート本体１を形成させる構造とする。また前記シート本体１には放射状に複数本の溝２を設けると良く、シート本体１を吸湿発熱繊維で網目に形成すると良い。【選択図】図１
2014009425.tif 000002
【特許請求の範囲】
【請求項１】
かつら装着時に頭皮の汗や皮脂を効果的に吸い取り、かつら装着時の蒸れを抑制するために、かつらの裏面側に貼着して用いるものであって、少なくとも、吸湿発熱繊維を用いて柔軟なシート本体（１）を形成したことを特徴とするかつら用吸湿・発熱性シート。
【請求項２】
前記シート本体（１）に、放射状に溝（２）が複数本設けられた請求項１記載のかつら用吸湿・発熱性シート。
【請求項３】
前記シート本体（１）が、吸湿発熱繊維で網目に形成された請求項１又は２記載のかつら用吸湿・発熱性シート。
【発明の詳細な説明】
【技術分野】
【０００１】
本発明はかつらの裏面側に貼着して、かつら装着時に頭皮の汗や皮脂を効果的に吸い取り、かつら装着時の蒸れを抑制するためのかつら用吸湿・発熱性シートに関する。
【背景技術】
【０００２】
一般にかつら装着時に、頭皮に接触する素材の透湿性が劣ると、発汗等でべとつき感，蒸れ感，かゆみなどの不快感を生じ易い問題点があり、この対策として、例えば特開２００７−３２１２８２のように、かつらベースをメッシュ状織編物としたものや、透湿性の優れた素材を使用したりするものなどが多く提案されている。一方、かつら側に、両面粘着テープを適正サイズにカットして貼着するクリーンシート（吸湿シート）が株式会社ユニヘアー（販売元）から市販されている。このクリーンシートの構成は、縦糸と密度の低い横糸で網目に形成したシートと成し、該シートを図２に示す形状に切断して製品化したものである。その目的は、天然コットン原料を使用し、肌触りが良く、汗や皮脂を効果的に吸い取り、さわやか状態にするものである。又、これは使い捨て用であった。
【０００３】
しかしながら、クリーンシートには、本願のような頭皮の血行を促進可能なものとする効果がないと共に発毛の促進に至る特段の効果は生じないものであり、且つ、そのような発想もないものであった。
【先行技術文献】
【特許文献】
【０００４】
【特許文献１】特開２００７−３２１２８２号公報
【発明の概要】
【発明が解決しようとする課題】
【０００５】
本発明は、かつらの裏面側に貼着して、かつら装着時に頭皮の汗や皮脂を効果的に吸い取り、かつら装着時の蒸れを抑制すると共に頭皮の血行を促進し、頭髪の発毛の促進可能なものとするためのかつら用吸湿・発熱性シートを提供することを目的とする。
【課題を解決するための手段】
【０００６】
本発明は上記現状に鑑みて成されたものであり、つまり、少なくとも、吸湿発熱繊維を用いて柔軟なシート本体を形成させる構造とする。また前記シート本体には放射状に複数本の溝を設けると良く、シート本体を吸湿発熱繊維で網目に形成すると良い。
【発明の効果】
【０００７】
請求項１のように少なくとも、吸湿発熱繊維を用いて柔軟で薄手なシート本体（１）を形成することにより、常に頭皮が適宜に温めることが出来るものとなるため、頭皮の血行を促進可能なものとなると共に発毛の促進用として利用することが可能なものとなる。更に吸湿性により、かつら装着時には頭皮の汗や皮脂を効果的に吸い取ることが可能となり、かつら装着時の蒸れを抑制出来るものとなる。従って、既存のかつらであっても、従来の如きかつら装着時に生じていた、発汗等でべとつき感，蒸れ感，かゆみなどの不快感が激減出来るものとなる。しかもシート本体（１）は安価であり、且つ、何回も洗濯して有効に使用することが可能なものとなる。
【０００８】
請求項２のようにシート本体（１）に放射状に溝（２）を複数本設けることにより、頭部の形状に沿って密着し易くなり、頭皮を有効に温めることが可能なものとなるため、血行を促進して、発毛を有効に促進することが可能なものとなる。
【０００９】
請求項３に示すようにシート本体（１）を吸湿発熱繊維で網目に形成することにより、通気性が良好となるため、従来発生していたかつら装着時の発汗等でべとつき感，蒸れ感，かゆみなどの不快感がより一層激減出来るものとなるのである。
【図面の簡単な説明】
【００１０】
【図１】本発明の実施形態を示す説明図である。
【図２】市販品の実施形態を示す説明図である。
【発明を実施するための形態】
【００１１】
本発明の実施形態を図１に基づいて説明する。（１)はかつら装着時に頭皮の汗や皮脂を効果的に吸い取り、かつら装着時の蒸れを抑制するために、かつらの裏面側に貼着して用いるための柔軟で薄手なシート本体であり、該シート本体（１）は吸湿発熱繊維で編成して形成されるか、或いは吸湿発熱繊維素材を用いて不織布に形成させたものとする。前記吸湿発熱繊維は、湿気を吸って熱を出し、心地良い温度が確保されるものである。前記吸湿発熱繊維やその薄手の布地としては、例えば、東洋紡ＡＰ事業部製のモイスケア（登録商標名）や、ユニクロ製のヒートテック（登録商標名）と同質材料などを用いるのが好ましい。尚、前記吸湿発熱繊維や前記布地の代りに、遠赤外線放射繊維やその布地を使用しても良い。
【００１２】
又、前記シート本体（１）の形状としては、（ａ）に示すように網目で四角形に形成するか、（ｂ）に示すように網目で楕円形に形成すれば良い。又、かつらの頭頂部の形状に近付けるために、（ｃ）のように四角形の先端側を丸めて突出する形状にしたもの、或いは（ｄ）に示すように（ｃ）の四隅を更に丸めると共に先端側を尖鋭化したものとしても良い。尚、前記シート本体（１）の形状を、（ａ）に示す四角形に形成すると、安価で且つ製作効率が良いものとなる。（ｂ）に示す楕円形に形成すれば頭頂部の形状に近付くものとなる。又、（ｃ）や（ｄ）に示すように形成すれば頭頂部の形状により近付くものとなる。尚、前記シート本体（１）は全体を網目とせずに、一般の布目（布地）としても良い。
【００１３】
（２）はシート本体（１）へ放射状に複数本設けられた溝であり、該溝（２）としては、（ａ）のように四角形の四隅と長辺の中央に設けた６本のＶ字形状とするのが良いが、（ｂ）〜（ｄ）に示すように４本としても良い。この溝（２）の本数は、シート本体（１）をかつら側に貼着した際、皺にならずに頭頂部の形状に密着できれば、上記本数に限定されない。尚、本発明の形状としては、図２に示す市販品の形状に近付け、溝（２）の本数を同じにしても良いが、溝（２）の長さを２倍以上長くするのが好ましい。又、前記溝（２）の形状はＶ字形状に限定されるものではない。
【００１４】
次に本発明の作用について説明する。先ず始めに図１に示すシート本体（１）を、従来のクリーンシートと同様に、かつら側に、両面粘着テープを適正サイズにカットして貼着させる。この時、従来のかつら用クリーンシート（吸湿シート）は、かつら装着時に頭皮の汗や皮脂を効果的に吸い取り、かつら装着時の蒸れを抑制して、さわやか状態にする役目であったのに対し、本発明品は、かつら装着時に生じる汗や発散する湿気をシート本体（１）で吸収することにより、発熱されて自然に頭皮を温めると共に常時気持ちの良い温度で温めることが可能となるため、頭皮の血行を促進させ、特に発毛の促進に役立つものとなるのである。また冬場に於いては、従来のクリーンシートよりもはるかに温かい状態が常時確保されるものとなるため、壮年性脱毛症や円形脱毛症などの部分かつらの内側に発明品を貼着して装着しておけば、発毛の促進が向上可能なものとなる。
【符号の説明】
【００１５】
１  シート本体
２  溝
【図１】
2014009425.tif 000003
【図２】
2014009425.tif 000004